(57)【要約】【課題】  吸盤の吸着力を強くするとともに、吸盤の落下を未然に防ぐようにした吸盤の装着構造を提供することを目的とする。【解決手段】  吸盤１を収納可能な取付本体２と、取付本体の中央部から突出開口し、先端にスリ割２２を設けるとともに内側環状突起２３を設けた筒状部２１と、吸盤の中央から直角に伸び、筒状部より突出するスリーブ１３と、スリーブの先端に取り付けた押ボタン３と、押ボタンと取付本体との間に介装されたコイルスプリング４と、押ボタンの外周に設けた外側環状突起３０と、からなる。外側環状突起は内側環状突起と係止する。押ボタンの外周に識別ライン３１を設け、識別ラインが非吸着時において筒状部から突出するようにした。【選択図】  図１
2006064168.tif 000002
【特許請求の範囲】
【請求項１】
吸盤を収納可能な取付本体と、前記取付本体の中央部から突出開口し、先端にスリ割を設けるとともに内側環状突起を設けた筒状部と、前記吸盤の中央から直角に伸び、前記筒状部より突出するスリーブと、前記スリーブの先端に取り付けた押ボタンと、前記押ボタンと取付本体との間に介装されたコイルスプリングと、前記押ボタンの外周に設けた外側環状突起と、からなり、前記外側環状突起が前記内側環状突起と係止するようにしたことを特徴とする、吸盤の装着構造。
【請求項２】
請求項１に記載する吸盤の装着構造において、前記押ボタンの外周に識別ラインを設け、該識別ラインが非吸着時において前記筒状部から突出するようにしたことを特徴とする、吸盤の装着構造。
【発明の詳細な説明】
【技術分野】
【０００１】  本発明は、浴室、洗面所、キッチンなどの壁面に固定して日用の小物を載置収容させるための吸盤の装着構造に関する。
【背景技術】
【０００２】  従来より、吸盤を使用した各種の装着装置が知られている（特許文献１）。
【特許文献１】  実開平６−４８４８２号
【発明の開示】
【発明が解決しようとする課題】
【０００３】  特許文献１に示す考案は、吸盤を壁面に押圧することで発生する吸着力により、小物整理棚などの物品支承体を壁面に固定するものである。
吸盤を壁面に押圧するだけで、物品支承体を好みの位置に固定することができるが、壁面への吸着力は、弾性部材からなる椀形状の吸盤の弾性復元力によるものであるため、吸着力が弱く、使用中に吸盤が壁面から落下しやすいという問題があった。【０００４】  本発明は、かかる問題点に鑑み、吸盤の吸着力を強くするとともに、吸盤の落下を未然に防ぐようにした吸盤の装着構造を提供することを目的とする。
【課題を解決するための手段】
【０００５】  上記のような目的を達成するために、本発明の吸盤の装着構造は、吸盤を収納可能な取付本体と、前記取付本体の中央部から突出開口し、先端にスリ割を設けるとともに内側環状突起を設けた筒状部と、前記吸盤の中央から直角に伸び、前記筒状部より突出するスリーブと、前記スリーブの先端に取り付けた押ボタンと、前記押ボタンと取付本体との間に介装されたコイルスプリングと、前記押ボタンの外周に設けた外側環状突起と、からなり、前記外側環状突起が前記内側環状突起と係止するようにしたことを特徴とするものである。
また、前記押ボタンの外周に識別ラインを設け、該識別ラインが非吸着時において前記筒状部から突出するようにしたことを特徴とするものである。【０００６】  上記課題解決手段による作用は、次のとおりである。
外側環状突起が内側環状突起を飛び越えるまで、指で押ボタンを押す。
押ボタンから指を離すと圧縮されたコイルスプリングによって、外側環状突起と内側環状突起は互いに係止するとともに、吸盤が取付本体から突出したロック状態となる。
ロック状態の吸盤を壁面に当てたまま、外側環状突起と内側環状突起との係止状態を解除すると、圧縮されたコイルスプリングによって、吸盤が取付本体内に収納されると同時に、吸盤中央部が、壁面から引き剥がされるようになる。
コイルスプリングが、常時、吸盤の中央を壁面から引き剥がす方向に付勢されているので、吸盤と壁面との間に、強い吸着力を発生させる減圧空間が形成されることになる。
また、吸盤をロック状態にすることなく、壁面に直接押し当てながら、識別ラインが筒状部内に隠れるまで、押ボタンを押して、コイルスプリングを圧縮して吸着してもよい。
押ボタンを押すことによってスリーブも押され、スリーブと一体の吸盤の中央部が壁面に向けて押し出され、吸盤内の空気を押し出しながら壁面に押圧されて、吸着する。
吸着されてからは、圧縮されたコイルスプリングの付勢力によって、吸盤の中央部は壁面から引き剥がされるようになり、強い吸着力を発生させる減圧空間が形成されることになる。
なお、使用中に識別ラインが筒状部から突出してきたら、押ボタンを押してコイルスプリングを圧縮し、再び強い吸着力を発生させる。
【発明の効果】
【０００７】  本発明の吸盤の装着構造は、以上説明したようになるから、次のような効果を得ることができる。
＜イ＞常時、コイルスプリングの付勢力で吸盤の中央が壁面から引き剥がされるように減圧空間が形成されるので、吸盤の吸着力がきわめて強いものとなる。
＜ロ＞吸盤をロック状態とした場合は、これを解除するだけでよいので、ガラス面などのように割れやすく危険を伴うような壁面でも安心して使用できる。
＜ハ＞吸着状態を示す識別ラインを設けてあるので、常に吸着状態を確認できる。
【発明を実施するための最良の形態】
【０００８】  以下、図面を参照しながら、本発明に係る実施の形態について説明する。
図１は吸盤の一例を示す図で、（Ａ）は斜視図で、（Ｂ）は断面図である。図２は吸盤の装着状態を示す図で、（Ａ）はロック状態の断面図で、（Ｂ）は吸着状態の断面図である。図３は吸盤の外観図で、（Ａ）は非吸着状態を示す図で、（Ｂ）は吸着状態を示す図である。図４は吸盤を使用したタオル掛けの斜視図であり、図５は両端に吸盤を用いたタオル掛けの斜視図である。【０００９】＜イ＞全体の構造（図１、図２、図３）
壁面Ｗに吸着される吸盤１、吸盤１を収納可能にした取付本体２、吸盤中央部１１から伸びるスリーブ１３、スリーブ１３が通り抜けるように取付本体２に設けた筒状部２１、スリーブ１３の先端に取り付けた押ボタン３、押ボタン３と取付本体２との間に作用し、吸盤１を取付本体２に向けて付勢するコイルスプリング４とからなる。【００１０】  ＜ロ＞吸盤（図１）
吸盤１は、例えばゴム、シリコン、軟質ポリ塩化ビニルなどの弾性材料からなり、自由状態（非吸着状態）で、中央部１１が周縁部１２よりもやゝ凹入した椀形状の吸着面１０を有するものである。
吸盤１の中央部１１から、スリーブ１３が直角に伸びている。
スリーブ１３は、例えば一端に平坦なフランジ１４を有しており、フランジ１４が吸盤中央部１１に埋設され、吸盤１と一体に結合している。
吸盤１の周縁部１２には、引き剥がし用のリップ１５が連設されている。【００１１】  ＜ハ＞取付本体（図１）
取付本体２は、吸盤１を収納する椀状部２０と、スリーブ１３が通り抜ける筒状部２１とからなる。
椀状部２０の中央に平坦面２４を形成するとともに、そこにスリーブ１３が通り抜ける穴２５を開口する。
取付本体２は、例えば、アルミニューム、真鍮、銅等の金属や硬質塩化ビニル樹脂、ＡＢＳ樹脂等の合成樹脂などで構成する。
筒状部２１の先端から複数のスリ割２２を入れて、筒状体２１の先端部を拡開可能としている。
筒状部２１の先端内側には、内側環状突起２３を設けておく。【００１２】  ＜ニ＞押ボタン（図１）
スリーブ１３の先端に押ボタン３を取り付ける。
押ボタン３は、後述するようにコイルスプリング４を圧縮したり、吸盤１をロック状態にしたり、吸盤１を壁面Ｗに向けて押圧するためのものである。
押ボタン３の外周に外側環状突起３０を設け、さらにその先に識別ライン３１を設ける。
外側環状突起３０は、内側環状突起２３と係止するもので、後述するロック状態を構成する。
識別ライン３１は視覚的な指標であって、取付本体２と比較して対照的な色、例えば赤色を有する環状の輪である。
識別ライン３１は、吸盤１が非吸着状態のときは筒状部２１から突出して表示できるようになっており（図３（Ａ）参照）、吸盤１が吸着状態のときは筒状部２１内に隠れて表示することができないようになっている（図３（Ｂ）参照）。【００１３】  ＜ホ＞コイルスプリング（図１）
コイルスプリング４は、スリーブ１３の外周を取り囲むようにして、押ボタン３（裏面）と取付本体２（平坦面２４）との間に介装される。
コイルスプリング４は、吸盤中央部１１を壁面Ｗから引き剥がす方向に付勢するためのものである。【００１４】＜ホ＞作用
図１の状態は、吸盤１の非吸着状態を示しており、吸盤１はコイルスプリング４によって取付本体２へ向けて付勢されている（図１（Ｂ）参照）。【００１５】  ▲１▼ロック状態（図２（Ａ））
押ボタン３を指で押すと、コイルスプリング４を圧縮しながらスリーブ１３を押すので、スリーブ１３と一体の吸盤１も椀状部２０から押し出されて突出していく。
外側環状突起３０が内側環状突起２３に当接すると、スリ割２２を介して筒状部２１先端を拡開しながら押し込まれ、外側環状突起３０が内側環状突起２３を飛び越える。
次いで、押ボタン３から指を離すと、コイルスプリング４の弾力で図２（Ａ）に示すように、押ボタン３は外側（矢印ａ方向）へ付勢され、外側環状突起３０が内側環状突起２３と係止し、吸盤１が椀状部２０から突出したロック状態となる。
なお、内側環状突起２３に替えて、外側環状突起３０と凹凸嵌合する内側環状凹部としてもよい。【００１６】  ▲２▼ロック解除状態（図２（Ｂ））
次に、ロック状態の吸盤１を、そのまま壁面Ｗに当てたまま椀状部２０を軽く押して、前記と逆に外側環状突起３０を内側環状突起２３から引き出し、外側環状突起３０と内側環状突起２３との係止状態を解除する。
すると圧縮されたコイルスプリング４の弾力によって、吸盤１は図２（Ｂ）に示すように、椀状部２０内に収納されると同時に、吸盤中央部１１が壁面Ｗから引き剥がされるようになる。
コイルスプリング４が常時、吸盤中央部１１を壁面Ｗから引き剥がす方向に付勢されているので、吸盤１と壁面Ｗとの間に、強い吸着力を発生させる減圧空間が形成されることになり、弾性復元力に頼る従来の吸盤に比べて壁面に対する吸着がきわめて強固になる。
ロック状態として吸着する場合は、吸盤１を壁面Ｗに強い力で押し付けて吸着するものでないので、ガラス面などのように割れやすく危険を伴うような壁面でも安心して使用できる。【００１７】  吸盤１をロック状態にすることなく、吸着しようとする壁面Ｗに直接押し当てながら、識別ライン３１が筒状部２１内に隠れるまで、押ボタン３を押してコイルスプリング４を圧縮するようにしてもよい。
押ボタン３を押すことによってスリーブ１３も押され、スリーブ１３と一体の吸盤中央部１１が壁面Ｗに向けて押し出され、吸盤１内の空気を押し出しながら壁面Ｗに押圧されて、吸盤１が吸着する。
吸着されてからは、圧縮されたコイルスプリング４の付勢力によって、吸盤中央部１１は壁面Ｗから引き剥がされるようになり、強い吸着力を発生させる減圧空間が形成されることになる。【００１８】  時間とともに、吸盤１と壁面Ｗとの間のスペースへ空気が漏れると、コイルスプリング４は、押ボタン３を筒状部２１から徐々に突き出し、識別ライン３１が露出されてくる。
これに気づいた場合、押ボタン３を押してコイルスプリング４を圧縮しながら、吸盤１と壁面Ｗとの間のスペースから空気を押し出し、再び強い吸着力を発生させる。
従来は、長い間使用していると吸盤が壁面から外れ易くなり、物品支承体が落下するなどの欠点があったが、本発明によれば、使用中に識別ライン３１が筒状部２１から突出してきたら、押ボタン３を押せばよいので、これらの事故を未然に防ぐことができる。【００１９】  次に、この吸盤を用いた各種装置の例を説明するが、これに限定されるものではない。【００２０】＜ヘ＞タオル掛け（図４、図５）
図４は、取付本体２の一部に取付片２６を設け、ヒンジ５０を介してリング５１を回動自在に取り付けたタオル掛け５を示す。
前述のごとく、ロック状態とした吸盤１を壁面Ｗに当てた後、ロック解除状態とすることで、圧縮されたコイルスプリング４によって、吸盤１は取付本体２内に収納されると同時に、吸盤中央部１１が壁面Ｗから引き剥がされるようになって吸着する。
押ボタン３とともに取付本体２を壁面Ｗに強く押し、吸盤１を変形させて吸盤１内の空気を押し出して吸着してもよい。
圧縮されたコイルスプリング４により、吸盤中央部１１が取付本体２側に引き寄せられ、強力な吸着力が発生する。
これにより、タオル掛け５を壁面Ｗに強力に取り付けることができる。
タオル掛け５の取り付け状態から、リップ１５をつまみ上げ、空間内に空気を入れるだけでタオル掛け５を壁面Ｗから簡単に取り外すことができる。【００２１】  図５は、バー材の両端にそれぞれ吸盤１を取り付けたタオル掛け６を示す。
取付本体２の一部に取付片２６を設け、一対のヒンジ６０、６０を介して吸盤１を取り付ける。
バー部材は、例えば内管６１と外管６２の二重構造とし、伸縮自在に構成する。
使用に際しては、２個の吸盤１を、壁面Ｗの同一高さに目地等を避けて適宜間隔を置いて吸着する。
一対のヒンジ６０、６０を組み合わせることで、吸盤１は、垂直面および水平面の２方向において首振り回動自在となり、任意の方向へ装着可能である。
本発明の吸盤の装着構造によれば、吸盤中央部１１を取付本体２に引き寄せ、吸盤中央部１１と壁面Ｗとの間に機械的に減圧空間を形成して、吸盤１に強力な吸着力を発生させるのであり、しかもリップ１５をつまみ上げ、減圧空間を破壊することで、簡単に取り外すことができるものであって、その利用価値はきわめて高い。
【図面の簡単な説明】
【００２２】
【図１】吸盤の一例を示す図で、（Ａ）は斜視図で、（Ｂ）は断面図。
【図２】吸盤の装着状態を示す図で、（Ａ）はロック状体の断面図で、（Ｂ）はロックを解除し、吸着状態の断面図。
【図３】吸盤の外観図で、（Ａ）は非吸着状態を示す図で、（Ｂ）は吸着状態を示す図。
【図４】吸盤を使用したタオル掛けの斜視図。
【図５】両端に吸盤を用いたタオル掛けの斜視図。
【符号の説明】
【００２３】１・・・・吸盤
１０・・・吸着面
１３・・・スリーブ
２・・・・取付本体
２０・・・椀状部
２１・・・筒状部
２２・・・スリ割
２３・・・内側環状突起
３・・・・押ボタン
３０・・・外側環状突起
３１・・・識別ライン
４・・・・コイルスプリング
５・・・・タオル掛け
６・・・・タオル掛け
Ｗ・・・・壁面
【図１】
2006064168.tif 000003
【図２】
2006064168.tif 000004
【図３】
2006064168.tif 000005
【図４】
2006064168.tif 000006
【図５】
2006064168.tif 000007